(57)【要約】      （修正有）【課題】簡単な構造であって、かつ、効果的に埃や塵等を集塵可能な布団たたき器を提供する。【解決手段】叩くことで布団から埃や塵等を除去するための布団たたき器１であって、把持部２ａを備える棒状体２の先端部２ｂに回転軸３を設け、該回転軸３に表面に複数の凸部５を備える回転体４が軸受け孔４ａを介して回転自在に軸支されている構造となっている。回転体４の表面所定箇所には、吸着部６が設けられており、また、回転体４の形状は、略円筒形状あるいは扁平筒形状となっている。このとき、軸受け孔４ａが、回転体４における偏芯位置に設けられている構造とすることも可能である。【選択図】図１
0003158082.tif 000002
【実用新案登録請求の範囲】
【請求項１】
叩くことで布団から埃や塵等を除去するための布団たたき器であって、
把持部を備える棒状体の先端部に回転軸を設け、該回転軸に表面に複数の凸部を備える回転体が軸受け孔を介して回転自在に軸支されていることを特徴とする布団たたき器。
【請求項２】
前記布団たたき器において、前記回転体の表面所定箇所に、吸着部が設けられていることを特徴とする請求項１に記載の布団たたき器。
【請求項３】
前記布団たたき器において、前記回転体が、略円筒形状あるいは扁平筒形状であることを特徴とする請求項１または請求項２に記載の布団たたき器。
【請求項４】
前記布団たたき器において、前記軸受け孔が、前記回転体における偏芯位置に設けられていることを特徴とする請求項１から請求項３のいずれかに記載の布団たたき器。
【考案の詳細な説明】
【技術分野】
【０００１】
本考案は、叩くことで布団から埃や塵等を除去するための布団たたき器に関するものである。
【背景技術】
【０００２】
古来より、布団を清潔に保つべく、布団たたき器を用いて布団を叩くことで、該布団から埃や塵等を除去することが行われている。
かかる布団たたき器として、一般的に、先端に面広のたたき部を備える棒状の布団たたき器が用いられている。これは、たたき部を布団に叩きつけることで、浮遊した埃や塵等を空気中に放出させ、布団から該埃や塵等を除去しようとするものである。
これによると、確かに布団を叩いた時点では、布団から埃や塵等が放出され、きれいに除去されているようにみえる。しかしながら、実際には、一度叩き出された埃や塵等が、静電気等の影響で再度布団に付着する場合があり、効率が悪いものであった。また、たたき部を布団に叩きつける行為自体が、布団を傷めるものであった。
【０００３】
かかる問題を解決すべく、実開平２−４５４５号公報（特許文献１）や実開平３−７３５０号公報（特許文献２）に記載された技術が提案されている。すなわち、これらに記載の技術は、布団たたき器の一端に電気掃除機が取り付けられるとともに、たたき部に吸込み用の孔が設けられた技術である。
かかる技術によれば、たたき部で布団から叩き出した埃や塵等を掃除機で吸い込んでしまうため、空気中に浮遊させることなく効果的に埃や塵等の集塵が可能となる。しかしながら、実際に叩き出した埃や塵等を全て吸込み可能か否かについて疑問であり、また、布団たたき器以外に電気掃除機が必要であるため、全体として大がかりな装置となってしまう。そしてまた、布団たたき器の一端が電気掃除機に取り付けられているため、作業上使い勝手の悪いものである。さらには、布団を叩く行為自体は従前と同様であり、結局のところ布団を傷めるものであった。
【０００４】
【特許文献１】実開平２−４５４５号公報
【特許文献２】実開平３−７３５０号公報
【考案の開示】
【考案が解決しようとする課題】
【０００５】
本考案は、上記問題点や技術背景に鑑みてなされたものであって、簡単な構造であって、かつ、効果的に埃や塵等を集塵可能な布団たたき器を提供することを課題とするものである。
【課題を解決するための手段】
【０００６】
前記課題を解決するため、本考案は、叩くことで布団から埃や塵等を除去するための布団たたき器であって、把持部を備える棒状体の先端部に回転軸を設け、該回転軸に表面に複数の凸部を備える回転体が軸受け孔を介して回転自在に軸支されている構造となっている。
【０００７】
また、本考案は、前記布団たたき器において、前記回転体の表面所定箇所に、吸着部が設けられている構造を採用し得る。
【０００８】
さらに、本考案は、前記布団たたき器において、前記回転体が、略円筒形状あるいは扁平筒形状である構造と採ることができる。
【０００９】
そしてまた、本考案は、前記布団たたき器において、前記軸受け孔が、前記回転体における偏芯位置に設けられている構造を採用することも可能である。
【考案の効果】
【００１０】
本考案にかかる布団たたき器によれば、棒状体の先端部に回転可能な回転体が取り付けられているという、簡単な構造であって、その回転体を布団の表面に転がすだけで布団を叩く効果を得られるとともに、それによって叩き出された埃や塵等を、空気中に放出させ即座に吸着部に吸着させることで、確実な集塵効果を得ることができ、もって布団を清潔な状態に保つことが可能となる。
【考案を実施するための最良の形態】
【００１１】
以下、本考案にかかる布団たたき器の実施形態について、図面を参照しながら詳細に説明する。
【００１２】
図１乃至図３は、本考案にかかる布団たたき器１の実施形態を示す斜視図である。
本実施形態における布団たたき器１は、図面に示すように、棒状体２と、回転体４と、から構成されている。
【００１３】
棒状体２は、その先端部２ｂに回転軸３が設けられているとともに、逆の端部には、把持部２ａが備えられている。
【００１４】
棒状体２の材質については、特に限定するものではないが、軽量で、かつ、ある程度の強度を備えるものが好ましく、例えば、ステンレス等の金属製や、強化プラスチックなどが考えられる。
【００１５】
把持部２ａは、棒状体２において、後述する回転軸３が設けられる先端部２ｂとは逆の端部に、該棒状体２を作業時に握り易くすべく備えられている。したがって、該把持部２ａは、例えば図面に示すような、手にフィットする形状等となっている。
【００１６】
回転軸３については、例えば図面に示すように、棒状体２の先端部２ｂが略直角に曲げられることで、該棒状体２の先端部２ｂをそのまま回転軸３として構成させることが考えられる。ただし、かかる構造に限定されるものではなく、棒状体２とは別体の回転軸３を、棒状体２の先端部２ｂに溶接や接着、一体成型等で取り付ける構造であっても構わない。
【００１７】
かかる回転軸３には、回転体４が回転自在に軸支されている。すなわち、回転体４には、軸受け孔４ａが設けられており、該軸受け孔４ａに回転軸３が挿入された状態となっている。
【００１８】
回転体４は、その表面に複数の凸部５が備えられている。かかる凸部５の形状は、特に限定はないが、布団Ｓとの接触に際して回転体４の回転動作がスムーズとなるよう、丸みを帯びた曲面状であることが望ましい。
【００１９】
前記凸部５の数については、少なくとも二以上の複数であれば、限定するものではなく、布団Ｓへの叩き効率等を考慮して、適宜決定すればよい。
【００２０】
また、前記凸部５の回転体４表面における配置・配列についても、特に限定するものではなく、規則的配列であると不規則的配置であるとを問わない。なお、図面においては、規則的に配列した場合について図示している。
【００２１】
ところで、回転体４の表面には、図面に示すように、吸着部６が設けられていることが好ましい。吸着部６の作用により、布団Ｓから叩き出した埃や塵等が該吸着部６で効果的に集塵され、空気中への飛散を最小限に抑制することが可能となる。
【００２２】
吸着部６の構造について、布団Ｓから叩き出された埃や塵等が集塵可能であれば、その素材等に限定はないが、例えば、静電気作用による吸着パッドや、紙製の吸着紙等が考えられる。吸着パッドは、簡易静電気帯電性を備える樹脂製のパッドであって、回転体４の表面における凸部５以外の箇所に適宜設けられる。また、吸着紙は、埃や塵等を絡めて吸着する紙製のものであって、集塵状態によって交換可能な着脱式となっており、回転体４の表面における凸部５以外の箇所、あるいは、回転体４の表面全体を覆うように設けられる。
【００２３】
回転体４の形状については、回転軸３を中心に回転可能な形状であれば、特に限定はなく、例えば、略円筒形状や扁平筒形状などが考え得る。その例示として、図１には回転体４の形状が略円筒形状である場合を示している。また、その他の形状の例示として、図２及び図３に示すような回転体４の形状が考え得る。
また、回転体４の材質については、特に限定するものではないが、作業性を考慮して、軽量かつ硬質のものが望ましい。かかる材質として、例えば、硬質ウレタン等による軽量な材質等が考え得る。
【００２４】
ところで、前記軸受け孔４ａについては、前記回転体４における側面に設けられる。なお、該軸受け孔４ａについて、回転軸３を中心に回転体４が回転可能であれば、該回転体４を軸受け孔４ａが貫通していると否とを問うものではない。
このとき、該軸受け孔４ａを、回転体４側面における偏芯した位置に設ける構造が考え得る。かかる構造を採用することで、
【００２５】
以上の通り構成される本考案にかかる布団たたき器１について、その使用方法を順を追って以下に説明する。図４は、本考案にかかる布団たたき器の使用状態を示す説明図である。
【００２６】
まず、布団Ｓを干している状態において、本考案にかかる布団たたき器１の回転体４を、布団Ｓに接触させた状態で布団Ｓ表面上を転がすように回転させる。このとき、回転体４が回転することで、凸部５が布団Ｓの表面を叩くように作用し、布団Ｓから埃や塵等が叩き出され、その埃や塵等は吸着部６によって集塵される。なお、図面では、回転体４が扁平筒形状である場合について示しているが、これによれば、回転体４の回転に際して、凸部５の叩き作用のほか、回転体４自身の回転による叩き作用も伴って、より効率的に布団Ｓから埃や塵等を叩き出すことが可能である。
【００２７】
回転体４が、布団Ｓの表面全体を万遍なく転がり、作業は完了する。完了後は、必要に応じて、回転体４の吸着部６に集塵された埃や塵等を取り除く。すなわち、吸着部６が樹脂製の吸着パッドであれば、水洗いや掃除機による吸引などによって、該吸着部６から埃や塵等を取り除く。また、吸着部６が紙製の吸着紙であれば、集塵された埃や塵等が吸着している吸着紙を取り外して捨て、新しい吸着紙を取り付ける。
【産業上の利用可能性】
【００２８】
本考案は、簡単な構造であって、かつ、その作業性も簡易であり、従来の布団たたき器のように、布団Ｓから叩き出された埃や塵等を空中に飛散させるのではなく、簡単な方法で容易に集塵可能であり、これによって布団Ｓの清潔な状態を保持することが可能であって、その利用価値は大きく、本考案の産業上の利用可能性は非常に大といえる。
【図面の簡単な説明】
【００２９】
【図１】本考案にかかる布団たたき器の実施形態を示す斜視図である。
【図２】本考案にかかる布団たたき器の実施形態を示す斜視図である。
【図３】本考案にかかる布団たたき器の実施形態を示す斜視図である。
【図４】本考案にかかる布団たたき器の使用状態を示す説明図である。
【符号の説明】
【００３０】
１    布団たたき器
２    棒状体
２ａ  把持部
２ｂ  先端部
３    回転軸
４    回転体
４ａ  軸受け孔
５    凸部
６    吸着部
Ｓ    布団
【図１】
0003158082.tif 000003
【図２】
0003158082.tif 000004
【図３】
0003158082.tif 000005
【図４】
0003158082.tif 000006